(57)【要約】  本発明はヒンジアセンブリ；前記ヒンジアセンブリに少なくともいずれかが連結されて相互に結合される内側フレームと外側フレーム；前記内側フレームと外側フレームの間に位置して周辺部が固定される透明材質のドアガラス；そして、前記外側フレームに外部から手を入れて引っぱることができるようにへこませて形成した取っ手を含むことを特徴とするドアを提供する。前記取っ手は外側フレームから突き出ないように形成され、このようなドアはドラム洗濯機及び衣類乾燥機等に利用される。
2005514135.tif 000002
【特許請求の範囲】
【請求項１】
ヒンジアセンブリと；
相互に連結され、前記ヒンジアセンブリに少なくともいずれか一方が連結された内側フレームと外側フレームと；
前記内側フレームと外側フレームとの間に位置して周辺部が固定される透明材質のドアガラスと；
前記外側フレームに外部から手を入れて引っぱることができるようにへこませて形成した取っ手とを含むことを特徴とするドア。
【請求項２】
前記内側フレームと外側フレームはリング状で構成される請求項１に記載のドア。
【請求項３】
前記取っ手の表面には複数の突起が形成される請求項１に記載のドア。
【請求項４】
前記取っ手の内側には手を入れた時、指先部が挿入されて引っ掛かるように、指溝が形成される請求項１に記載のドア。
【請求項５】
前記取っ手は前記外側フレームの内周面に形成される請求項１に記載のドア。
【請求項６】
前記外側フレームは前記取っ手の入口が現われるように内周面が傾斜して形成される請求項５に記載のドア。
【請求項７】
前記取っ手が形成される部位に対応する外側フレームの外面は取っ手が見えるように透明材質で形成される請求項５に記載のドア。
【請求項８】
前記取っ手は別に製作して前記外側フレームの内周面にへこんで形成された空洞部に着脱可能に挿入される請求項５に記載のドア。
【請求項９】
前記取っ手は前記外側フレームの外面に形成される請求項１に記載のドア。
【請求項１０】
前記取っ手は別に製作して前記外側フレームの内周面にへこんで形成された空洞部に着脱可能に挿入される請求項９に記載のドア。
【請求項１１】
キャビネットと；
前記キャビネットの内部に位置して洗濯物を洗浄するタブ及びドラムと；
前記ドラムを回転させるモーターと；
前記キャビネットの投入口の周辺部の一箇所に設置されるヒンジアセンブリと；
相互に連結され、前記ヒンジアセンブリに少なくともいずれか一方が連結された内側フレームと外側フレームと；
前記内側フレームと外側フレームとの間に位置して周辺部が固定される透明材質のドアガラスと；
前記外側フレームに外部から手を入れて引っぱることができるようにへこませて形成した取っ手を含むドラム洗濯機。
【請求項１２】
前記内側７フレームと外側フレームはリング状で構成される請求項１１に記載のドラム洗濯機。
【請求項１３】
前記取っ手の表面には複数の突起が形成される請求項１１に記載のドラム洗濯機。
【請求項１４】
前記取っ手の内側には手を入れた時、指先部が挿入されて引っ掛かるように指溝が形成される請求項１１に記載のドラム洗濯機。
【請求項１５】
前記取っ手は前記外側フレームの内周面に形成される請求項１１に記載のドラム洗濯機。
【請求項１６】
前記外側フレームは前記取っ手の入口が現われるように内周面が傾くように形成される請求項１５に記載のドラム洗濯機。
【請求項１７】
前記取っ手が形成される部位に対応する外側フレームの外面は取っ手が見えるように透明材質に形成される請求項１５に記載のドラム洗濯機。
【請求項１８】
前記取っ手は別個に製作して前記外側フレームの内周面にへこんで形成された空洞部に着脱可能に挿入される請求項１５に記載のドラム洗濯機。
【請求項１９】
前記取っ手は前記外側フレームの外面に形成される請求項１１に記載のドラム洗濯機。
【請求項２０】
前記取っ手は別個に製作して前記外側フレームの外面にへこんで形成された空洞部に着脱可能に挿入される請求項１９に記載のドラム洗濯機。
【請求項２１】
キャビネットと；
前記キャビネット内部に回転可能に設置される乾燥ドラムと；
前記ドラム内部の乾燥対象物を乾燥させるための空気の循環経路を形成する複数のダクトと；
前記空気を加熱するヒーターと；
前記空気を循環させる送風ファンと；
前記キャビネットの投入口の周辺部位の一箇所に設置されるヒンジアセンブリと；
相互に連結され、前記ヒンジアセンブリに少なくともいずれか一方が連結された内側フレームと外側フレームと；
前記内側フレームと外側フレームの間に位置して周辺部が固定される透明材質のドアガラスと；
前記外側フレームに外部から手を入れて引っぱることができるようにへこませて形成した取っ手を含む衣類乾燥機。
【請求項２２】
前記内側フレームと外側フレームはリング状に構成される請求項２１に記載の衣類乾燥機。
【請求項２３】
前記取っ手の表面には複数の突起が形成される請求項２１に記載の衣類乾燥機。
【請求項２４】
前記取っ手の内側には手を入れた時、指先部が挿入されに引っ掛かるように指溝が形成される請求項２１に記載の衣類乾燥機。
【請求項２５】
前記取っ手は前記外側フレームの内周面に形成される請求項２１に記載の衣類乾燥機。
【請求項２６】
前記外側フレームは前記取っ手の入口が現われるように内周面が傾斜するように形成される請求項２５に記載の衣類乾燥機。
【請求項２７】
前記取っ手が形成される部位に対応する外側フレームの外面は取っ手が見えるように透明材質で形成される請求項２５に記載の衣類乾燥機。
【請求項２８】
前記取っ手は別に製作して前記外側フレームの内周面にへこんで形成された空洞部に着脱可能に挿入される請求項２５に記載の衣類乾燥機。
【請求項２９】
前記取っ手は前記外側フレームの外面に形成される請求項２１に記載の衣類乾燥機。
【請求項３０】
前記取っ手は別個に製作されて前記外側フレームの外面にへこんで形成された空洞部に着脱可能に挿入される請求項２９に記載の衣類乾燥機。
【発明の詳細な説明】
【技術分野】
【０００１】
本発明は洗濯機のドアと、そのドアを利用したドラム洗濯機及衣類乾燥機に関するものである。
【背景技術】
【０００２】
洗濯機は洗剤と水の作用を利用して衣服についている汚れを落すように洗濯して濯ぎ、かつ脱水を行うが、洗濯機の種類は大きく渦流式(パルセーター方式)、撹拌式(洗濯棒方式) 及びドラム式洗濯機に分けられる。
【０００３】
このうちドラム式洗濯機はいくつかの突出部が形成されているドラムの内側に洗剤と水及び洗濯物を投入した状態でドラムを水平軸で低速回転させて洗濯物が突出部によって上下するその衝撃及び摩擦力を利用して洗濯する。
【０００４】
このような方式で洗濯するドラム式洗濯機は洗濯物の損傷がほとんどなく、洗濯物が互いによじれあうことがなく、水が少量ですむという長所によってその使用が徐々に増加している。
そして、衣類乾燥機はヒーターによって生成された熱風をドラム内に送風しながら乾燥対象物の水分を蒸発させて乾燥対象物を乾燥させる機器である。このような衣類乾燥機は乾燥対象物の乾燥時に発生する湿った空気を処理する方式によって排気式衣類乾燥機と凝縮式衣類乾燥機とに分けられる。
【０００５】
排気式衣類乾燥機はドラムから排出された湿った空気を衣類乾燥機の外部へ排出する方式を利用し、凝縮式衣類乾燥機はドラムから排出された湿った空気をコンデンサーで凝縮させて水分をとり除いた後、水分が除去された乾燥した空気を再びドラム内に送風して再循環させる方式である。
【０００６】
このようなドラム洗濯機と衣類乾燥機には衣服等の洗濯物及び乾燥物の離脱を防止するためのドアが設置される。
【０００７】
以下、従来技術によるドアの構造を添付された図面を参照して説明る。
ドア（１０）は、図１に図示されているように、外側フレーム（１４）とドア（１０）の開閉のためのヒンジアセンブリ（５）に取り付けられた内側フレーム（１２）とを備えている。
【０００８】
内側フレーム（１２）と外側フレーム（１４）はボルト（１１）によって結合され、その際、内側フレーム（１２）と外側フレーム（１４）の間にはドアガラス（１３）が設けられている。ドアガラス（１３）は内側フレーム（１２）と外側フレーム（１４）によって周辺部が固定されている。
【０００９】
そして、内側フレーム（１２）にはドア（１０）の開閉のためのフック（１５）とフックホール（１２ｈ）が形成され、外側フレーム（１４）の片側には使用者がドア（１０）を開閉できるように取っ手（１４ａ）が形成される。
この取っ手（１４ａ）は外側フレーム（１４）の一端から突き出るように形成される。
【発明の開示】
【発明が解決しようとする課題】
【００１０】
このような従来技術によるドアは取っ手が外側フレームの一端に突き出るように形成されているので、ドラム洗濯機と衣類乾燥機の全体的な美観を損傷させるという問題点がある。
【００１１】
本発明は前記した問題を解決するためになされたもので、その目的は取っ手が外側フレームにへこんで形成されるように構成されたドア及びそのドアを利用して全体的な美観を向上させたドラム洗濯機と衣類乾燥機を提供することである。
【課題を解決するための手段】
【００１２】
本発明はこのためにヒンジアセンブリ；相互に連結され、前記ヒンジアセンブリに少なくともいずれか一方が連結された内側フレームと外側フレーム；前記内側フレームと外側フレームの間に位置して周辺部が固定される透明材質のドアガラス；前記外側フレームに外部から手を入れて引っぱることができるようにへこませて形成した取っ手を含むことを特徴とするドアを提供する。
【００１３】
前記内側フレームと外側フレームはリング状に構成されて、前記取っ手の表面には多数の突起が形成されることを特徴とするドアを提供する。
【００１４】
また、前記取っ手の内側には手を入れた時に指先部を挿入できる指ホームが形成されることを特徴とするドアを提供する。
【００１５】
さらに、前記取っ手は前記外側フレームの内周面に形成されて、前記外側フレームは前記取っ手の入口が現われるように内周面が傾くように形成され、前記取っ手が形成される部位に対応する外側フレームの外面は取っ手が見えるように透明材質に形成されることを特徴とするドアを提供する。
【００１６】
さらに、前記取っ手は別に製作されて前記外側フレームの内周面にへこんで形成された空洞部に装着脱装可能に挿入されることを特徴とするドアを提供する。
【００１７】
さらに、前記取っ手は前記外側フレームの外面に形成されて、前記取っ手は別に製作されて前記外側フレームの外面にへこんで形成された空洞部に装着脱装可能に挿入されることを特徴とするドアを提供する。
【００１８】
前記した目的を果たすための本発明の他の一態様は、キャビネット；前記キャビネットの内部に位置して洗濯物を洗浄するタブ及びドラム；前記ドラムを回転させるモーター；前記キャビネットの投入口周辺部位の一箇所に設置されるヒンジアセンブリ；相互に連結され、前記ヒンジアセンブリに少なくともいずれか一方が連結された内側フレームと外側フレーム；前記内側フレームと外側フレームとの間に位置して周辺部が固定される透明材質のドアガラス；そして、前記外側フレームに外部から手を入れて引っぱることができるようにへこませて形成した取っ手を含むことを特徴とするドラム洗濯機を提供する。
【００１９】
前記の目的を果たすための本発明のまた他の一態様は、キャビネット；前記キャビネット内部に回転可能に設置される乾燥ドラム；前記乾燥ドラム内部の乾燥対象物を乾燥させるための空気の循環経路を形成する多数のダクト；前記空気を加熱するヒーター；前記空気を循環させる送風ファン；前記キャビネットの投入口周辺部の一箇所に設置されるヒンジアセンブリ；相互に連結され、前記ヒンジアセンブリに少なくともいずれか一方が連結された内側フレームと外側フレーム；前記内側フレームと外側フレームの間に位置して周辺部が固定される透明材質のドアガラス；前記外側フレームに外部から手を入れて引っぱることができるようにへこませて形成した取っ手を含むことを特徴とする衣類乾燥機を提供する。
【発明を実施する最良の形態】
【００２０】
本発明の特徴及び長所は後述する本発明の実施形態の詳細な説明とともに次の添付された図面を参考にしてさらによく理解されることができる。
【００２１】
以下、前記目的を具体的に実現することができる本発明の実施形態を添付された図面を参照して説明すれば次の通りである。
【００２２】
本発明によるドラム洗濯機の構造は図２に示されたように、キャビネット（５２）の内側に洗濯物を洗浄するタブ（図示せず）が設置されて、タブ内側中央にドラム（５４）が回転可能に設置される。ドラム（５４）は水平、または後方が下向きに傾くように配置されたモーター（図示せず）によって駆動される。
【００２３】
キャビネット（５２）にはドラム（５４）内に洗濯物を入れたり、出したりする投入ホール（ｈ）が形成されたキャビネットカバー（５３）が設置される。
【００２４】
また、キャビネットカバー（５３）にはドラム（５４）から洗濯物が飛び出すのを防止するためにドア（６０）が開閉可能に設置される。
【００２５】
キャビネット（５２）の上面の一隅にはタブ内に投入する洗剤を保持する線材保持部（５６）が設置されて、キャビネット（５２）には使用者が洗濯機の作動状態を操作することができるコントロールパネル（５７）が設置される。
【００２６】
前記ドア（６０）は、図４に示されたように、キャビネット（５２）の投入区域の周辺部位に設置されるヒンジアセンブリ（１５）と、そのヒンジアセンブリ（１５）に少なくともいずれか一方が取り付けられ、相互に結合される内側フレーム（６２）と外側フレーム（６４）で構成されている。
【００２７】
そして、外側フレーム（６４）には使用者がドア（６０）を開閉するように取っ手（７０）が形成されている。このようなドア（６０）はキャビネットカバー（５３）の投入ホール（ｈ）側に設置される。
【００２８】
本発明による衣類乾燥機は図３に示されたように、キャビネット（７１）、乾燥ドラム（７３）、駆動装置、ヒーター（７５）、吸入ダクト（７７）、排気ダクト（８５）、リントダクト（７８）、送風ファン（８３）を含んでいる。
【００２９】
そして、乾燥ドラム（７３）は本体（７１）内に回転可能に設置されており、その内側周辺面には複数のリフター（７４）が突き出るように形成されている。
【００３０】
駆動装置は乾燥ドラム（７３）を回転させるものであり、モーター（８０）と、そのモーター（８０）に結合された駆動プーリ（８１）と、駆動プーリ（８１）に繋がれて乾燥ドラム（７３）の外周面を巻いているベルト（８２）からなる。
【００３１】
このように構成された駆動装置が動作すると、モーター（８０）が回転して駆動プーリ（８１）を回転させ、それとともにベルト（８２）が回転し、これによって乾燥ドラム（７３）が回転する。
【００３２】
ヒーター（７５）は吸入された外部空気を高温に加熱して熱風を生成するように吸入ダクト（７７）内に設置されている。
【００３３】
そして、吸入ダクト（７７）は一端が外気を吸い込むように設置され、乾燥ドラム（７３）の後方開口部に連通されて、ヒーター（７５）によって生成された熱風を乾燥ドラム（７３）内側に案内する。
【００３４】
排気ダクト（８５）が外部と連通させられており、リントダクト（７８）が乾燥ドラム（７３）の前方開口部と排気ダクト（８５）の間にそれらを連通するように配置されており、それが、乾燥ドラム（７３）内の乾燥対象物を乾燥させた湿った空気を排気ダクト（８５）に案内する。
【００３５】
リントダクト（７８）の入口には乾燥ドラム（７３）から排出される空気からほこりや毛羽などの異物をフィルタリングするフィルタ（８４）が設置される。
【００３６】
また、送風力を発生させる送風ファン（８３）がリントダクト（７８）の後方に設置されて、排気ダクト（８５）に案内された湿った空気を外部に排出する。
キャビネット（７１）の前方には上述したようなドア（６０）が設置されている。
【００３７】
前記のようにドラム洗濯機及び衣類乾燥機に使用される本発明によるドアについて添付された図面を参照してもうより詳しく説明する。
【００３８】
本発明によるドアは図４に示されたように、ドア（６０）の開閉のために設けられるヒンジアセンブリ（１５）と、相互に結合されて少なくともどちらか一方がヒンジアセンブリに連結されている内側フレーム（６２）と外側フレーム（６４）で構成される。
【００３９】
内側フレーム（６２）にはドア（６０）の開閉のために設置されたフック６５とフック６５が挿入されるホール（６２ｈ）が形成されている。外側フレーム（６４）には使用者がドア（６０）を開閉できるようにへこませて形成した取っ手（７０）が備えられている。
【００４０】
内側フレーム（６２）と外側フレーム（６４）はボルト（６１）によって結合されており、この内側フレーム（６２）と外側フレーム（６４）との間には透明材質のドアガラス（６３）が設置される。このドアガラス（６３）は内側フレーム（６２）と外側フレーム（６４）によって周辺部が固定される。
【００４１】
取っ手（７０）に対してさらに詳しく調べる。図５に示されたように、取っ手（７０）は所定の厚さの外側フレーム（６４）の内周面に使用者が外部から手を入れてドア（６０）を開閉することができるように、所定の深さと幅を持ってへこむように形成された空洞部（７０ｈ）を形成して構成される。
【００４２】
したがって、取っ手（７０）の入口は外側フレーム（６４）の内周面上に位置するようになり、外側フレーム（６４）の内部に前記したように外側フレーム（６４）の内部に所定の深さと幅を持った空洞部（７０ｈ）が形成される。したがって、ドア（６０）の正面から見ると取っ手（７０）の形成位置が見えなくなる。
【００４３】
したがって、使用者が取っ手（７０）の位置が分かるようにすることが望ましく、外側フレーム（６４）の取っ手（７０）が形成された位置の形状に変化を与えるとか、特定の表示をすることが望ましい。そのために図６に示されたように、外側フレーム（６４）の内周面が傾くように形成し、取っ手（７０）の入口が分かるようにするとか、または取っ手（７０）が位置した外側フレーム（６４）の一部内周面のみを傾けるように形成する。
【００４４】
このうち、外側フレーム（６４）の一部内周面のみを傾けるように形成する場合には傾けるように形成された部位が取っ手（７０）の位置になるので取っ手（７０）の入口が現われなくても取っ手（７０）の位置が把握される。
【００４５】
また、取っ手（７０）の位置が分かるようにするために取っ手（７０）が形成される外側フレーム（６４）の外面を透明な材質のプラスチック等で形成し、外部で取っ手（７０）の形成位置を視覚的に認識できるように形成することも可能である。
【００４６】
そして、前記した方法以外にも、取っ手（７０）が位置した外側フレーム（６４）の外面に特定の色を塗るとか、取っ手（７０）表示をするなどの多様な方法を利用して取っ手（７０）の正確な位置を示して、使用者が容易に取っ手（７０）の位置をさがすことができるようにすることが望ましい。
【００４７】
前記のように取っ手（７０）は外側フレーム（６４）の内部に空洞部（７０ｈ）を形成して構成されるから、外側フレーム（６４）の製作時に取っ手（７０）の部分が外側フレーム（６４）内部に一緒に形成されえる。すなわち、取っ手（７０）を外側フレーム（６４）と別個に製作するのではなく外側フレーム（６４）と一体で製作することができる。
【００４８】
しかし、図７に示されたように、外側フレーム（６４）製作時に、内周面に取っ手（７０）の形状に対応する空洞部（７０ｈ）を形成し、別個に製作された取っ手（７０ａ）を前記外側フレーム（６４）の内周面に形成された空洞部（７０ｈ）に挿入して形成することもできる。
【００４９】
また、外側フレーム（６４）製作時に手を入れて、ドアを開閉することができるだけの一定の深さと幅を持つホーム（図示せず）を外側フレーム（６４）の内周面ではない表面に別個に形成して取っ手（７０）を形成するとか、別個に製作された取っ手（７０ａ）を前記外面に形成されたホームに挿入するように構成することもできる。
【００５０】
前記のような方法は外側フレーム（６４）の内部に空洞部（７０ｈ）を形成するのではなく外部にホームを形成するものなので製作上、有利な点がある。
【００５１】
このように別個に取っ手（７０ａ）を製作する場合には、製作された取っ手（７０ａ）は前記外側フレーム（６４）の空洞部（７０ｈ）や溝に挿入されて固定されるので、取っ手（７０ａ）を脱着可能に設置することができる。
【００５２】
また、図８に示されたように、前記取っ手（７０）の表面を祖面化するとか多数の突起（７０ｂ）を形成するとかして手が滑ることを防止したり、内側に手を入れた時、指先が挿入したときにひっかかる指溝（７０ｃ）を形成し、より容易にドア（６０）を開閉することができるようにする。一方、取っ手（７０）を別個に製作する場合には突起（７０ｂ）や指溝（７０ｃ）は別に製作した取っ手（７０ａ）に形成する。
【００５３】
取っ手（７０）の形成位置は外側フレーム（６４）の内面に形成することもでき、この場合取っ手（７０）の下底を形成するのはドアガラス（６３）になる。
【００５４】
したがって、この場合には手との接触でドアガラス（６３）が損傷するおそれがあるので、前記したように別に製作した取っ手（７０ａ）を利用して手が直接ドアガラス（６３）と接触しないようにすることが望ましい。
【００５５】
取っ手（７０）は外側フレーム（６４）の複数の部位に形成可能で、その形状も多様な変形が可能である。
【００５６】
以上本発明の好適な一実施態様について説明したが、前記実施態様に限定されず、本発明の技術思想に基づいて種々の変形が可能である。
【００５７】
本発明は次のような長所を持つ。
前記のように構成される本発明によるドア（６０）及びこれを利用したドラム洗濯機と衣類乾燥機は、取っ手（７０）の形状が外側フレーム（６４）の外側に突き出ることなくドア（６０）の形状をそのまま維持することができ、ドラム洗濯機と衣類乾燥機の全体的な外観を美麗にする。
【図面の簡単な説明】
【００５８】
【図１】従来技術によるドアが示された斜視図である。
【図２】本発明によるドアを使うドラム洗濯機が示された斜視図である。
【図３】本発明によるドアを使う衣類乾燥機が示された斜視図である。
【図４】本発明によるドアが示された斜視図である。
【図５】本発明によるドアの取っ手がより詳しく示された斜視図である。
【図６】本発明による取っ手の他の実施形態を示した断面図である。
【図７】本発明による別個に製作された取っ手を示した斜視図である。
【図８】本発明による取っ手のまた他の実施形態を示した断面図である。
【図１】
2005514135.tif 000003
【図２】
2005514135.tif 000004
【図３】
2005514135.tif 000005
【図４】
2005514135.tif 000006
【図５】
2005514135.tif 000007
【図６】
2005514135.tif 000008
【図７】
2005514135.tif 000009
【図８】
2005514135.tif 000010
【国際調査報告】
2005514135.tif 000011
2005514135.tif 000012